(57)【要約】【課題】盗電の防止を安価にできるようにする。【解決手段】誘導型積算電力計のクランプ金具８で短絡される電流線輪と電圧線輪入力との接続端子ａ、７ａとｃ、７ｃに、前記端子ａ、７ａとｃ、７ｃの電位差で点燈する報知装置１０を取り付ける。このようにすると、クランプ金具８を外すと、クランプ金具８で短絡された電圧線輪２に回路電圧が供給されなくなり、入力端子ａ、ｃと補助端子７ａ、７ｃに電位差が生じて報知装置１０へ電流が流れて点灯する。この点灯は、クランプ金具８を外している間中続くので検針時に見つけることが可能になり、盗電を簡単に、かつ、安価に防止できる。【選択図】図１
2006023281.tif 000002
【特許請求の範囲】
【請求項１】
電源側のクランプ金具で短絡される積算電力計の電流線輪と電圧線輪端子間の電位差を検出し、その検出した電位差に基づいて盗電を検出する盗電検出方法。
【請求項２】
電源側のクランプ金具で短絡される電流線輪と電圧線輪端子間の電位差に基づいて報知を行う報知手段を備えた積算電力計。
【発明の詳細な説明】
【技術分野】
【０００１】
この発明は、盗電防止を図れるようにした誘導型積算電力計に関するものである。
【背景技術】
【０００２】
一般家庭や事業所などに設置される電力量を計量する交流電力計の多くは誘導型の積算電力計である。
【０００３】
この誘導型の積算電力計は、例えば、図１０に示すように、アルミ円板１の上下に電圧線輪２と電流線輪３を配置したもので、前記電圧線輪２に回路電圧を印加して、電流線輪３には負荷電流を流すことで、両線輪２、３が作る移動磁界により、アルミ円板１に電流を誘起させ、その誘起した電流と移動磁界との電磁作用によって移動磁界の方向へ回転するアルミ円板１の回転数を計量メーター５で表示させるようにしたものである。
【０００４】
すなわち、図１０のように、電力計の端子ボックス４の一方の入力端子ａを一方の出力端子ａ’と電流線輪３を介して接続して、他方の入力端子ｂを、他方の出力端子ｂ’と接続し、かつ、前記一方の入力端子ａと並行に補助端子７を設けて、その補助端子７を電圧線輪２を介して他方の出力端子ｂ’と接続するとともに、その電圧線輪２と接続した補助端子７をクランプ金具８でもって一方の入力端子ａと接続する（検定試験の際に、電圧線輪２を分離できるようにしている）ことにより、補助端子７から電圧線輪２へ電圧を印加するようにしている。
【０００５】
そのため、メーターケース９に封印をして不正な行為ができないようにしているが、補助端子７を設けた端子ボックス４は、検定時にカバーを外してアクセスできるようにネジ止めとなっており、カバーを外してクランプ金具８を外せば（例えば、補助端子７からスライドさせて外せば）計量を止めた状態で負荷側に電力を供給（盗電）できる（ちなみに、毎月クランプ金具を少しだけ戻して使用したようにすれば検針のときに円板１が回っていなくてもわからない）。
【０００６】
この問題を解決するため、例えば、端子ボックスカ４の内側に突起を設け、その突起が外したクランプ金具８に当接してカバーを取り付けられないようにするものが考えられている。
【０００７】
ところが、前記ボックス４の突起を切断あるいは削れば、クランプ金具８を外した状態でもカバーを取り付けられるので抜本的な解決にならない問題がある。
【０００８】
そのため、その問題を解決する一つの方法として例えば、（特許文献１）には、メーターケース９にセンサーを取り付け、そのセンサーを通信回線と接続して、端子ボックス４のカバーを開けると、報知できるようにしたものが記載されている。
【特許文献１】特開２００２−２５７８６２号公報
【発明の開示】
【発明が解決しようとする課題】
【０００９】
しかしながら、センサーを通信回線と接続したものでは、メーターケースを開けて工事をする場合は、例えば、予め工事の前にセンターへ通報して報知を無効にしたり、工事後は通報して有効にしたり、あるいは、それらを確認したりしなければならないので煩雑で手間のかかる問題がある。また、このように煩雑なので、ついうっかり有効にするのを忘れてしまうなどの問題がある。
【００１０】
また、通信回線を準備したり、センサーを設けたケースを準備したりとコストが高くつくので、高いコストに見合う所にしか設置できない問題がある。
【００１１】
そこで、この発明の課題は、手間がかからず、低コストで盗電を防止できるようにすることである。
【課題を解決するための手段】
【００１２】
上記の課題を解決するため、この発明では、クランプ金具で短絡される積算電力計の電流線輪と電圧線輪端子間の電位差に基づいて盗電を検出するという方法を採用したのである。
【００１３】
このような構成を採用することにより、クランプ金具を外した際に短絡されていた電流線輪と電圧線輪の入力間に生じる電位差、あるいは、クランプ金具を外したことで通電されなくなって消失した電位差を検出して報知することにより簡単に盗電を検出できる。
【００１４】
また、積算電力計に電源側のクランプ金具で短絡される電流線輪と電圧線輪端子間の電位差に基づいて報知を行う報知手段を備えた構成を採用することができる。
【００１５】
このような構成を採用することにより、報知手段の組み込まれた電力計は、クランプ金具を外すと、報知手段が電流線輪と電圧線輪の入力間に生じる電位差に基づいて盗電を報知する。
【発明の効果】
【００１６】
この発明は、以上のように構成したことにより、不正行為が行われた際に、それを報知することができるので、盗電を防止できる。
【００１７】
また、その際クランプ金具を外した際の電流線輪と電圧線輪の電位差で報知を行うようにして簡単な回路で構成できるようにしたので手間がかからず低コストで盗電を防止できる。
【発明を実施するための最良の形態】
【００１８】
以下、この発明の最良の形態を図面に基づいて説明する。
【００１９】
図１に示すものは、単相１００Ｖ三線式の誘導型積算電力計に、本願の検出方法を適用した報知装置（報知手段）を備えたものである。
【００２０】
単相１００Ｖ 三線式の誘導型積算電力計は、単相計器（図１０参照）を２個組合せ、計量メーター５、メーターケース９、端子ボックス４を共通にしたもので、端子ボックス４には、図１に示すように、入力側（ＩＮ、電源側）に、ａ、ｂ（中性点）、ｃの三相の入力端子が設けられ、出力側（ＯＵＴ、負荷側）には、ａ’、ｂ’（中性点）、ｃ’の三相の出力端子が設けられており、その入力側のａ−ｂ相間とｂ−ｃ相間に、それぞれ補助端子７ａ、７ｃが設けられている。
【００２１】
補助端子７ａ、７ｃは、それぞれ、電圧線輪２に接続されており、電圧線輪２を介して出力側のｂ’端子に接続されている。
【００２２】
また、入力側のａ、ｃ端子は、それぞれ、電流線輪３を介して出力側のａ’、ｃ’端子と接続されている。
【００２３】
報知装置１０は、図２に示すように、この形態では、入力端子ａと補助端子７ａとの接続端子１１ａを備えたネオン管１２ａと、入力端子ｃと補助端子７ｃとのとの接続端子１１ｃを備えたネオン管１２ｃとからなるもので、２個のネオン管１２ａと１２ｃには点灯回路として電流制限抵抗を内蔵し、１００Ｖ で点灯できるようにしたものを使用している。
【００２４】
そして、この接続端子１１ａ、１１ｃ付の２個のネオン管１２ａ、１２ｃをコの字型の金具１３の両端に取付け、図２のように計量メーター５のパネル上部のネジ孔にネジ止めできるようにしてある。
【００２５】
その際、ネオン管１２ａ、１２ｃを取り付けた金具１３の寸法は、積算電力計のメーターケース９内の空きスペースに収まるように形成してある。
【００２６】
この形態は、上記のように構成され、報知装置１０は、メーターケース９を開け、計量メーター５のパネルの上部にネジ止めしたのち、それぞれの接続端子１１ａ、１１ｃをメーターケース９内で、入力端子ａと補助端子７ａ及び入力端子ｃと補助端子７ｃにネジ止めする。その後、検定試験（ＲＣ法）を受けて合格すれば、ケースを閉じて封印する。
【００２７】
この状態で、設置（電源と負荷に接続）することができる。すると、報知装置１０は、図１のようにクランプ金具８が接続されているので、電流線輪３と電圧線輪２の入力である入力端子ａと補助端子７ａと入力端子ｃと補助端子７ｃに電位差が生じず、通常は点灯しない。もし、点灯した場合は、クランプ金具８が外れていて電位差が生じているので、検定試験後にクランプ金具８を戻し忘れたことがチェックできる。このようにヒューマンエラーも防止できる。報知装置１０が点灯しない場合は、正常なので使用できる。
【００２８】
この状態で、例えば端子ボックス４のカバーを開けてクランプ金具８を外すと、外したクランプ金具８に対応して電流線輪３と電圧線輪２の入力である入力端子ａと補助端子７ａ、あるいは入力端子ｃと補助端子７ｃのいずれか一方、あるいは両方に電位差が生じるためネオン管１２ａ、１２ｃに電流が流れて点灯する。この点灯はクランプ金具８を外して盗電している間中続くので検針時に見つけることが可能になる。そのため、盗電を見つけられないようするためには、何時行われるかわからない検針時にクランプ金具８を戻しておかなければならないので盗電が難しくなり、盗電を防止できる。このように簡単な回路で、盗電を防止できるのでローコストである。
【実施例１】
【００２９】
この実施例は、報知装置１０が常時点灯していて異常が発生したときに消灯するようにしたもので、図３のように電圧線輪２への線路に抵抗２０、２０’を設けて、その抵抗２０、２０’の両端に報知装置（この形態では、ＬＥＤ２１、２１’による点灯回路と接続端子）１０を接続したものである。このようにすると、クランプ金具８が正常に接続されていると、電流が流れてＬＥＤ２１、２１’が点灯する。一方、クランプ金具８が外されると、電流が流れないので、ＬＥＤ２１、２１’は消灯する。
【００３０】
ここでＬＥＤ２１、２１’は、ネオン管１２ａ、１２ｃに代えて用いるようにしたもので、図３のように、電流制限抵抗２２、２２’と逆流防止用ダイオード２３、２３’を備えている  他の構成及び作用効果については、先の形態と同じなので説明は省略する。
【００３１】
また、常時点灯の他の態様を図４に示す。この態様は、電圧線輪２に補助コイルｍを取り付けて報知装置１０へ電力を供給するようにしたもので、クランプ金具８を外した際に補助コイルｍに発生する電位差、すなわち、電圧線輪２への電力の供給が絶たれて補助コイルｍに発生する電位差が消失したことで消灯して報知を行うものである。他の構成及び作用効果については、前述のものと同じなので、説明は省略する。
【実施例２】
【００３２】
この実施例は、図５に示すように係合手段３０を設けて、例えばネオン管１２ａ、１２ｃあるいはＬＥＤ２１、ＬＥＤ２１’、報知装置１０を積算電力計のメーターケースの空きスペースに簡単に取り付けられるようにしたものである。
【００３３】
すなわち、図５のものは、例えば、図２で示した金具１３の木ねじに代えて、金具１３の裏面に係合手段３０としてコの字型のホルダーをコの字形の開口を下にして設けたものである。前記コの字の開口は、ここでは、前記積算電力計のメーターの奥にあるダイカスト２９（図６参照）の幅に合わせてある。また、そのコの字の内側に波形に形成したバネ３１を対向させて取り付けてある。
【００３４】
このように構成される報知装置１０は、図６のようにメーターケース９の前面の透明カバーを外し、前記電力計のダイカスト２９上部のメーターシャーシの空間に図６のようにすべり込ませるようにして嵌めると、前記ダイカスト２９にコの字形のホルダー３０が係合してワンタッチで取り付けられる。取り付けられた報知装置１０は、ホルダー３０のバネ３１によりシッカリと固定されるので両線輪２、３との接続を行えばよい。
【００３５】
このように、この報知装置１０は、ホルダー３０をダイカスト２９に嵌めるだけなので、検定試験調整済の機材に全く触れずに取り付けできる。ちなみに、取り外しも簡単にできるので、再使用も可能である。
【００３６】
図７と図８は、他の態様を示すもので、図７のものは図５のホルダー３０の内側に設けたバネ３１に代えて止めネジを用いるものである。そのため、ここでは、ホルダーの開口の両サイドにネジ孔３２を設けてある。
【００３７】
上記のように構成されるこの態様ではダイカスト２９にすべり込ませたのち（例えば図６のように）、前記ネジ孔３２に止めネジを嵌めてドライバーで締める。このとき、ドライバーを使わなくとも良いように、止めネジのネジ頭に滑り止めの溝を設けたキャップを有するものを採用して手締めができるようにしても良い。
【００３８】
図８は、金具１３をΠ形にして２本の並行なＬ形の係合手段３０を設け、その係合手段３０に貫通孔を設けて、積算電力計の本体を後方のメーターケースに止めるネジ止めを使って取り付けるようにしたものである。
【００３９】
すなわち、メーターケースのネジ止めを外して、そのネジ止めにＬ形の貫通孔を合わせてネジ止めするというものである。
【００４０】
なお、実施形態では、報知装置１０を積算電力計に後付（検定試験の前に）するものについて述べたが、これに限定されるものではなく、電力計の製造時に組み込むようにしてもよい。
【００４１】
また、報知手段に点灯回路を用いたものを示したが、これに限定されるものではなく、報知できるものであればどのような物でもよく点滅回路、あるいは音や音声などでもかまわない。
【００４２】
また、この検出方法を用いて通信回線で（例えば、監視センターなどへ）報知するようにすることもできる。
【００４３】
さらに、実施形態及び実施例では、単相三線式の誘導型積算電力計について述べたが、これに限定されるものではなく、図９のような液晶式のものや三相方式のものについても同様に適用できる。
【産業上の利用可能性】
【００４４】
この発明は、クランプ金具が外れた際の電位差を検出して報知する。そのため、検定試験後にクランプ金具を戻し忘れたこともチェックできるので、ヒューマンエラーの防止にも利用できる。
【図面の簡単な説明】
【００４５】
【図１】実施形態の正面図
【図２】実施形態の報知手段の作用説明図
【図３】実施例１を示す回路ブロック図
【図４】実施例１の他の態様を示す回路ブロック図
【図５】実施例２の斜視図
【図６】実施例２の作用説明図
【図７】実施例２の他の態様を示す斜視図
【図８】実施例２の他の態様を示す斜視図
【図９】本願発明を適用した液晶式積算電力計を示す正面図
【図１０】従来例の作用説明図
【符号の説明】
【００４６】
２  電圧線輪
３  電流線輪
４  端子ボックス
７ａ  補助端子
７ｃ  補助端子
８  クランプ金具
１０  報知装置
１１ａ  接続端子
１１ｃ  接続端子
１２ａ  ネオン管
１２ｃ  ネオン管
２１  ＬＥＤ
２１’  ＬＥＤ
２２  電流制限抵抗
２２’  電流制限抵抗
２３  逆流防止用ダイオード
２３’逆流防止用ダイオード
【図１】
2006023281.tif 000003
【図２】
2006023281.tif 000004
【図３】
2006023281.tif 000005
【図４】
2006023281.tif 000006
【図５】
2006023281.tif 000007
【図６】
2006023281.tif 000008
【図７】
2006023281.tif 000009
【図８】
2006023281.tif 000010
【図９】
2006023281.tif 000011
【図１０】
2006023281.tif 000012